(57)【要約】【課題】プールベンチを設ける必要がなく、縦横に配列した育苗ポットを収容し、育苗ポットへの底面潅水を簡易化してその労力を軽減する専用の底面潅水トレーを提供する。【解決手段】育苗ポットを縦横に配列して収容し、前記育苗ポットの潅水に用いる潅水トレー１０であって、育苗ポットの底部からの底面潅水に必要な高さだけ、該底部の外形形状に対応させて形成された個別収容部１を縦横に配列して一体化し、個別収容部１には、その収容する育苗ポットの底部と、この個別収容部の底上面との間に、水路を確保し、前記底部に当接する水路突起２を備え、この個別収容部１間相互の水路を連結する連結部３を備えた。【選択図】図１
2007097402.tif 000002
【特許請求の範囲】
【請求項１】
育苗ポットを縦横に配列して収容し、前記育苗ポットの潅水に用いる潅水トレーであって、
育苗ポットの底部からの底面潅水に必要な高さだけ、該底部の外形形状に対応させて形成された個別収容部を縦横に配列して一体化したものであって、
該個別収容部には、その収容する育苗ポットの底部と、この個別収容部の底上面との間に、水路を確保し、前記底部に当接する水路突起を備え、この個別収容部間相互の水路を連結する連結部を備えたことを特徴とする底面潅水トレー。
【請求項２】
育苗ポットを縦横に配列して受けるカゴ型トレーを収容し、前記育苗ポットの潅水に用いる潅水トレーであって、
前記カゴ型トレーは、育苗ポットの底部の外形形状に対応させて形成された個別受部を縦横に配列して一体化したものであって、
前記潅水トレーは、該個別受部に収容された育苗ポットの底部からの底面潅水に必要な高さだけ、前記個別受部の底部の外形形状に対応させて形成された個別収容部を縦横に配列して一体化したものであって、
該個別収容部には、その受ける個別受部の底部と、この個別収容部の底上面との間に、水路を確保し、前記個別受部の底部に当接する水路突起を備え、この個別収容部間相互の水路を連結する連結部を備えたことを特徴とする底面潅水トレー。
【請求項３】
前記カゴ型トレーは、その底面を構造的基礎とし、その底面から上方へ向けて三面柱を立設し、この三面柱によって、全体の構造的強度を確保していることを特徴とする請求項２記載の底面潅水トレー。
【請求項４】
請求項２または３に記載されたことを特徴とするカゴ型トレー。
【請求項５】
請求項１〜４のいずれかに記載された育苗ポット、カゴ型トレー、底面潅水トレーから構成されていることを特徴とする育苗システム。
【発明の詳細な説明】
【技術分野】
【０００１】
本発明は、育苗ポットを縦横に配列して収容し潅水に用いられる底面潅水トレー、育苗ポットを縦横に配列して収容し、前記底面潅水トレーと組み合わせて、育苗、運搬、保管、潅水に用いられるカゴ型トレー、これらの育苗ポット、カゴ型トレー、底面潅水トレーを組み合わせた育苗システムに関する。
【背景技術】
【０００２】
底面潅水トレーであって、縦横に配列された育苗ポットをそのまま収容可能であって、底面潅水専用の底面潅水トレーはこれまで提案されているものはなかった。
【０００３】
底面潅水を可能とする栽培容器としては、特許文献１に記載されたものがあるが、給水シートによって、底面潅水を可能とするものであり、水容器以外に給水シートという余分のものが必要であった。
【０００４】
特許文献２に記載されたものも底面潅水を可能とするものであるが、ここに記載された育苗箱は、縦横に配列された育苗ポットを収容する単なるカゴ状箱であり、底面潅水時には、その箱ごと潅水用プールに入れて潅水するものであり、専用の潅水トレーを持つものではなかった。また、潅水時には、育苗箱を潅水用プールに出し入れすることが必要で、その労力の軽減が望まれていた。
【０００５】
特許文献３には、底面潅水用のバットが記載されているが、このものは、通常の水容器に過ぎないものであり、底面潅水のことを特に考慮したものではなかった。また、この場合にも、潅水時には、育苗ポットをバットに出し入れすることが必要で、その労力の軽減が望まれていた。
【０００６】
また、上記特許文献１、２、３に記載のような栽培容器、育苗箱、バットを収容するプールベンチを設けて、底面潅水を可能とする方法もあるが、その場合、プールベンチは大掛かりな設備となり、その設備コストも非常に高くなっていた。
【特許文献１】実登３０５４２４４号公報（図３）
【特許文献２】特開２００３−７９２４８号公報（図１、符号１）
【特許文献３】特開２００２−２６２６８１号公報（図１、符号３５）
【発明の開示】
【発明が解決しようとする課題】
【０００７】
本発明は、プールベンチを設ける必要がなく、縦横に配列した育苗ポットを収容し、育苗ポットへの底面潅水を簡易化してその労力を軽減する専用の底面潅水トレー、これと組み合わせて用いられるカゴ型トレー、これらの育苗ポット、カゴ型トレー、底面潅水トレーから構成される育苗システムを提供することを目的としている。
【課題を解決するための手段】
【０００８】
請求項１記載の底面潅水トレーは、育苗ポットを縦横に配列して収容し、前記育苗ポットの潅水に用いる潅水トレーであって、育苗ポットの底部からの底面潅水に必要な高さだけ、該底部の外形形状に対応させて形成された個別収容部を縦横に配列して一体化したものであって、
該個別収容部には、その収容する育苗ポットの底部と、この個別収容部の底上面との間に、水路を確保し、前記底部に当接する水路突起を備え、この個別収容部間相互の水路を連結する連結部を備えたことを特徴とする。
【０００９】
請求項２記載の底面潅水トレーは、育苗ポットを縦横に配列して受けるカゴ型トレーを収容し、前記育苗ポットの潅水に用いる潅水トレーであって、前記カゴ型トレーは、育苗ポットの底部の外形形状に対応させて形成された個別受部を縦横に配列して一体化したものであって、前記潅水トレーは、該個別受部に収容された育苗ポットの底部からの底面潅水に必要な高さだけ、前記個別受部の底部の外形形状に対応させて形成された個別収容部を縦横に配列して一体化したものであって、
該個別収容部には、その受ける個別受部の底部と、この個別収容部の底上面との間に、水路を確保し、前記個別受部の底部に当接する水路突起を備え、この個別収容部間相互の水路を連結する連結部を備えたことを特徴とする。
【００１０】
請求項３記載の底面潅水トレーは、請求項２に従属し、前記カゴ型トレーは、その底面を構造的基礎とし、その底面から上方へ向けて三面柱を立設し、この三面柱によって、全体の構造的強度を確保していることを特徴とする。
【００１１】
請求項４記載のカゴ型トレーは、請求項２または３に記載されたことを特徴とする。
【００１２】
請求項５記載の育苗システムは、請求項１〜４のいずれかに記載された育苗ポット、カゴ型トレー、底面潅水トレーから構成されていることを特徴とする。
【発明の効果】
【００１３】
請求項１記載の底面潅水トレーによれば、底面潅水専用であって、育苗ポットと組み合わせのままで、育苗、運搬、保管、潅水に用いられることを原則とするので、いちいち潅水のために、別に設けられた潅水プールなどに出し入れすることがなく、潅水の労力を軽減することができ、プールベンチなども設ける必要がない。
【００１４】
また、その高さ、つまり、潅水用の水の貯留深さが、底面潅水に必要な高さとされているので、単に、トレーからあふれるように給水するだけで、潅水に必要な量が貯留され、そのまま、放置すればよく、潅水作業を簡易化することができる。
【００１５】
また、水路突起、連結部を備えているので、底面潅水トレーのどこか一か所に給水すれば、その水が水路突起、連結部で構成される水路を通って、トレー全体に行き渡るので、給水が楽である。
【００１６】
請求項２記載の底面潅水トレーによれば、請求項１に比べ、育苗ポットをカゴ型トレーを介して収容する点が異なるだけであるので、カゴ型トレーを介在させる場合でも、請求項１と同様の効果を発揮する。
【００１７】
請求項３記載の底面潅水トレーによれば、請求項２の効果に加え、前記カゴ型トレーは、その底面を構造的基礎とし、その底面から上方へ向けて三面柱を立設し、この三面柱によって、全体の構造的強度を確保しているので、このようなカゴ型トレーと組み合わせた場合にも、その潅水トレーの効果を発揮する。
【００１８】
請求項４記載のカゴ型トレーによれば、請求項２または３の潅水トレーと組み合わされることで、これらの効果を相乗的効果を発揮する。
【００１９】
請求項５記載の育苗システムによれば、請求項１〜４のいずれかに記載された底面潅水トレー、カゴ型トレーの効果を、システムとして発揮する。
【発明を実施するための最良の形態】
【００２０】
以下に、本発明の実施の形態（実施例）について、図面を用いて説明する。
【実施例１】
【００２１】
図１は、本発明の底面潅水トレーの一例を上方から見た上面図、図２（ａ）は図１の底面潅水トレーを長手方向の側方から見た側面図、（ｂ）は図１のＡＡ断面図、（ｃ）は図１のＢＢ断面図である。
【００２２】
この底面潅水トレー１０は、育苗ポットを縦横に配列したままの状態で収容して、簡易に底面潅水を可能とし、潅水後はそのまま育苗ポットを収容したままとすることができるものであって、個別収容部１、水路突起２、連結部３、十字凸部４、上縁部５を備えている。
【００２３】
個別収容部１は、育苗ポットの底部からの底面潅水に必要な高さだけ、該底部の外形形状に対応させて形成されたもので、この個別収容部１を収容する育苗ポットに対応させて、縦横に配列して一体化したものが底面潅水トレー１０である。個別収容部１の底上面を符号１ａとする。
【００２４】
また、この個別収容部１の有効高さＨは、収容した育苗ポットに底面潅水する場合に貯留される水の貯留高さとなるものであり、この貯留高さが一回の潅水量を規定するものである。また、この有効高さＨは、この底面潅水トレー１０全体の高さを規定するものでもある。
【００２５】
水路突起２は、それぞれの個別収容部１毎に備えられ、収容する育苗ポットの底部と、この個別収容部１の底上面１ａとの間に、水路を確保し、前記底部に当接するものである。連結部３は、水路突起２で水路が確保された個別収容部１間相互の水路を連結するものである。
【００２６】
十字凸部４は、個別収容部１の隣り合う部分に形成される十字形の空間を覆うように個別収容部１の高さ部分で連結したものである。上縁部５は、個別収容部１の隣り合う部分に形成されるＴ字形の空間を覆うように個別収容部１の高さ部分で連結して、底面潅水トレー１０全体の外枠を構成するものである。
【００２７】
このような底面潅水トレー１０は、熱可塑性樹脂を素材とするシートを、この形状の型に沿うように成形するシート成形によって製造されるものである。  
【００２８】
図３は、本発明のカゴ型トレーの一例を上方から見た上面図、図４（ａ）は図３のカゴ型トレーを長手方向の側方から見た側面図、（ｂ）はその要部斜視図である。
【００２９】
このカゴ型トレー２０は、育苗ポットを縦横に配列して収容し、上記底面潅水トレー１０と組み合わせて育苗、運搬、保管、潅水に用いられるものであり、個別受部１１、底面窓１２、立枠１３、上縁部１４、薄壁部１５を備えている。
【００３０】
カゴ型トレー２０は全体として骨組み構造であって、縦横に配列された育苗ポットを個々に受けるのが、個別受部１１であり、その底面には給排水や空気の流通を良くするための底面窓１２が形成され、育苗ポットの側壁に対応する部分が立枠１３となり、個別受部１１を連結し全体の構造的基礎となるのが、格子状の上縁部１４である。
【００３１】
薄壁部１５は、上縁部１４の内、収容する育苗ポットが隣合う部分に設けられ、その枠の厚さを薄くした部分である。この薄壁部１５は、隣り合う育苗ポットを二つ一緒に指先などで挟んで持ち上げる際に邪魔になりにくく、その持ち上げ動作が確実に行われるようにしている。
【００３２】
なお、このカゴ型トレー２０は、高分子樹脂を一体成形して製造される。
【００３３】
図５は、本発明の育苗ポットの一例を上方から見た上面図、図６は、図５の育苗ポットを長手方向の側方から見た側面図である。
【００３４】
この育苗ポット３０は、植物の育苗に用いられるもので、底面円形、上部開口側正方形の個々の育苗ポット２１を縦横に配列し、その隣り合う上縁同士を連結部２４で容易に分離可能な程度に結合したものである。
【００３５】
育苗ポット２１の底面には、水孔２２が設けられ、また、要所に補強用のリブ２３が形成されている。育苗のための種苗、培土は、この育苗ポット２１に収容される。
【００３６】
この育苗ポット３０は、高分子樹脂をブロー成形、シート成形して製造される。
【００３７】
図７は、本発明の育苗システムの一例の要部断面図である。
【００３８】
この育苗システム５０は、図５、６の育苗ポット３０を、図３、４のカゴ型トレー２０で受け、図１、２の底面潅水トレー１０に収容したものである。
【００３９】
このシステム５０においては、底面潅水トレー１０は、この組み合わせのままで、育苗、運搬、保管、潅水に用いられることを原則とするので、いちいち潅水のために、別に設けられた潅水プールなどに出し入れすることがなく、潅水の労力を軽減することができ、プールベンチなども設ける必要がない。
【００４０】
一方、育苗が終了した後は、底面潅水トレー１０、カゴ型トレー２０は使い回しが可能であり、省資源化に資するものである。
【００４１】
更に、それぞれのトレー１０に清潔な水が個別に給水されるので、個々の底面潅水トレー１０間の底面潅水による感染の問題が生じない。これは、従来例に示したような栽培容器、育苗箱、バットなどでは潅水源が共通し、いずれかの栽培容器に炭疽菌などの感染源がある場合、最悪全ての栽培容器に汚染が伝播するという問題があったが、そのような感染も問題も解決するものである。
【００４２】
また、潅水する場合には、そのままの状態で、底面潅水トレー１０のどこか一か所に給水すれば、その水が水路突起２、連結部３で構成される水路を通って、トレー１０全体に行き渡るので、給水が楽である。
【００４３】
また、底面潅水トレー１０の高さＨが、底面潅水に必要な高さとされているので、単に、トレー１０からあふれるように給水するだけで、潅水に必要な量が貯留され、そのまま、放置すればよく、潅水作業を簡易化することができる。
【００４４】
更に、底面潅水トレー１０は、従来に比べ、底面潅水に必要な高さとされ、大幅にその高さが小さくなっているので、当然、材料コストも少ないものとなっている。また、上記したようにシート成形されているので、全体として低コストとなっているので、育苗ポット３０毎にセットで用いたとしてもあまり負担にはならない。
【００４５】
なお、この底面潅水トレー１０は、上記のように間にカゴ型トレー２０を介在させて、育苗ポット３０を収容することができるが、カゴ型トレー２０の占有空間は小さいものであり、トレー１０の個別収容部１の縦横の配列ピッチは、育苗ポット３０のものに一致しているので、カゴ型トレー２０を介在させないで、育苗ポット３０を収容することが可能であり、その場合にも、この底面潅水トレー１０は、同様の効果を発揮する。
【００４６】
また、底面潅水トレーを直接育苗ポット３０を収容するように構成することも可能であって、その場合にも、上記底面潅水トレー１０と同様の効果を発揮する。
【００４７】
上記効果は、それぞれ、対応する範囲で、カゴ型トレー２０にあってはトレーとして、育苗ポット３０にあっては育苗ポットとして、育苗システム５０にあってはシステムとして発揮されるものである。
【００４８】
なお、底面潅水の潅水量の調整は、基本としては、上記のように底面潅水トレー１０の高さＨを用いるが、高さＨを越えない範囲で、潅水量を時間制御する方法、また、底面潅水トレー１０の底部に適度な大きさの排水孔を設けて、給水後一定時間でトレー１０に一旦貯留された水が排水される方法、底面潅水トレー１０の壁部に適度な大きさの排水孔を設けて、潅水量を調整する方法など適宜選択することができる。
【実施例２】
【００４９】
図８は、本発明のカゴ型トレーの一例を上方から見た上面図、図９（ａ）は図８のカゴ型トレーを長手方向の側方から見た側面図、（ｂ）は（ａ）の要部拡大図、図１０（ａ）は図８のカゴ型トレーの要部斜視図、（ｂ）はその三面柱部分の横断面図である。
【００５０】
このカゴ型トレー４０は、育苗ポットを縦横に配列して収容し、育苗、潅水、運搬、保管に用いられるものであって、底受部３１と連結部３２とから構成される底平面３３をその構造的基部として、これに立設された三面柱３４の上部を連結した十字連結部３５、上縁部３６とによって、育苗ポットを収容する個別収容部Ｓを形成し、かつ、全体の構造的強度を確保していることを基本的特徴としている。
【００５１】
底受部３１は、収容する育苗ポットの底面を受けるもので、育苗ポットの底面形状に合わせた形状とし、また、底面全体に当接するのではなく、図３、４のトレー２０のように部分的に当接する骨組み構成とするのがよい。
【００５２】
この例では、底受部３１は、角型の育苗ポットの底面形状に対応した四角形であって、その四角形を４つの四角形に等分割するような窓枠３１ａを設けた形状としている。
【００５３】
連結部３２は、底受部３１に比べより小さい面積で、上方に向けて拡開する育苗ポットの上部開口部を密接させて縦横に配列した際の底部を受けるように配列した底受部３１相互間の間隔を埋めて、底受部３１を連結するものである。
【００５４】
三面柱３４は、連結部３２の一辺から立ち上がる連結面３４ａと、該一辺に隣接する底受部３１の隣接辺から育苗ポットの側壁に沿うように立ち上がる当接面３４ｂとから構成されている。十字連結部３５は、この三面柱３４の頂部を配列された育苗ポットの開口側の十字コーナー部で連結するものである。
【００５５】
これら三面柱３４と十字連結部３５の構成は、図８の上面図、図９（ｂ）の側面図、図１０の図面によって具体的に示されている。
【００５６】
ここで、図１０（ｂ）の横断面図は、収容すべき縦横に配列された育苗ポット相互間の十字コーナー部分に相互にその開放側を対面させて向き合う四本の三面柱３４の頂部が十字連結部３５で連結された状態で、その連結部から幾分下方の部分の横断面である。
【００５７】
十字連結部３５は、また、図９、１０に示すように、その上方の十字平面部の外周辺から収容する育苗ポットの上部に当接すべく下方に延び、三面柱３４の当接面３４ｂの上方と連結されたスカート部３５ａを備えている。
【００５８】
このスカート部３５ａの育苗ポットに当接する面の適所には、図１０（ａ）に示すように、わずかな突起３５ｂが設けられている。
【００５９】
上縁部３６は、この三面柱３４の頂部を配列された育苗ポットの開口側のＴ字コーナー部で連結し、全体の外枠となっている。また、上縁部３６は、図９、１０に示すように、その上方の平面部の内側辺から収容する育苗ポットの上部に当接すべく下方に延び、三面柱３４の当接面３４ｂの上方と連結されたスカート部３６ａを備えている。
【００６０】
この上縁部３６のスカート部３６ａの育苗ポットに当接する面の適所にも、スカート部３５ａの突起３５ｂと同様な突起（不図示）が設けられている。
【００６１】
上縁部３６は、更に、その上方の平面部の外側辺から下方に延び、上縁部３６を補強する外スカート部３６ｂを備えている。
【００６２】
こうして、全体として、上縁部３６は、このカゴ型トレー４０の上部外枠を構成し、カゴ型トレー４０を持ち上げる場合には、この上縁部３６の部分で持ち上げるものである。
【００６３】
また、十字連結部３５のスカート部３５ａ、上縁部３６のスカート部３６ａ、外スカート部３６ｂの下方へ伸びる長さ、あるいは、その高さは同一ものとされている。
【００６４】
このカゴ型トレー４０は、上記のものに加え、直線部３７Ａ、直線部３７Ｂ、育苗ポットを収容した状態で上下に積み重ねられた際の上下のトレー４０間のズレを防止するズレ止め突起３８を備えている。
【００６５】
ズレ止め突起３８は、十字連結部３５の上面の適所に設けられたズレ止め突起３８Ａ、上縁部３６のＴ字コーナー部の上面の適所に設けられたズレ止め突起３８Ｂを備えている。
【００６６】
また、カゴ型トレー４０は、外側に配列された底受部３１の外辺の適所と上縁部３６のスカート部３６ａとを収容する育苗ポットの外壁に当接しつつ連結する外側当接面３９を備えている。
【００６７】
このような構成で、このカゴ型トレー４０は、底受部３１と連結部３２とから構成される底平面３３を構造的基部としている点が基本的特徴であり、従来のカゴ型トレーと異なる点である。
【００６８】
これにより、収容する育苗ポット、この育苗ポットに充填される培土、苗などの荷重が底平面３３で直接的に受け止められ、その荷重は、この底平面３３を介して、このトレー４０を支え受ける埴栽棚や運搬ローラに受け止められる。
【００６９】
したがって、従来例のように、主にトレーの表面側を構造的基部とするものに比べ、そのトレーの上下間を結ぶ部分への構造的負担をより少なくすることができ、また、強度的基礎が底平面にあるので、より外力に対して破損しにくい。
【００７０】
一方、この構造的基部をなす底平面３３から上方へは、上述した三面壁構造の三面柱３４が立ち上がり、その頂部を連結するように十字連結部３５、上縁部３６が形成されているので、全体としての構造的強度も好適に担保されている。
【００７１】
十字連結部３５は、底平面３３から立ち上がった四つの三面柱３４を、その開放側を対向させて十字形に連結し、かつ、それぞれの柱面である連結面３４ａ、当接面３４ｂは上方に向かって相互間の距離が小さくなるような上つぼみであり、また、当接面３４ｂとも連結されたスカート部３５ａを備えた構成となっているので、非常に強力な構造体となっている。
【００７２】
そして、底受部３１、連結部３２からなる底平面３３から、このような強力な構造体である十字連結部３５によって、個別収容部Ｓが形成されているので、十字連結部３５相互間は、図１０（ａ）で明確に示すように連結する必要はなく、この間に十分な空間を形成することができ、育苗ポット、特に連結育苗ポットの収容を容易にする。
【００７３】
また、上述したような底面潅水トレー１０への収容も可能である。
【００７４】
上縁部３６は、縦横に配列された状態で、配列の外側部分に存在し、その開放側をトレー全体の外側に向けた三面柱３４を連結するもので、これも、その隣り合う三面柱３４同士を外枠を形成するように連結して、トレー４０全体の構造的強度を高めている。
【００７５】
また、このカゴ型トレー４０は、底平面３３として、縦横に配列した底受部３１とこれらの底受部３１を連結部３２とからなる格子状部分を備えながら、上方に向かって拡開する個別収容部Ｓを形成する十字連結部３５、上縁部３６、相互に連結されない十字連結部３５を備えることで、この個別収容部Ｓに対応する部分で上下に重畳可能であり、よって、上縁部３６の高さ、つまり、外側スカート３６ｂの高さピッチで上下に積み重ねることができ、省スペースで保管することができる。
【００７６】
直線部３７Ａは、図８で、この図上で上下方向の矢印で示している部分であり、トレー全体の長手方向に連続する一定幅の直線部分を形成している。
【００７７】
具体的には、直線部３７Ａは、連結された底受部３１の窓枠３１ａと、連結部３２とが繋がったものである。直線部３７Ｂは、直線部３７Ａと直交する、トレー全体の短手方向の直線部分であり、その構成は、直線部３７Ａと同様である。直線部３７Ａ、３７Ｂを合わせて直線部３７とする。
【００７８】
このような直線部３７が底平面３３にあると、たとえ、この底平面３３が接する相手面、具体的には、トレー４０が載置される相手が、メタルラスで構成された埴栽棚や、運搬コロやローラなどの凸凹のある面であっても、引っかかったりすることがなく、トレー４０をスムーズ、滑らかに移動させることができる。
【００７９】
例えば、棚の奥にあるトレー４０を人が手前に引っ張り出すような際の作業を非常に楽なものにすることができる。
【００８０】
また、外部の凸凹が、三面柱３４に引っかかることが少なく、この個別収容部Ｓに関わる部分である三面柱３４の破損を少なくすることができる。
【００８１】
また、このカゴ型トレー４０では、それぞれ相互には連結されていない十字連結部３５で個別収容部Ｓが構成されているので、収容され、隣り合う育苗ポッの開口上部の間には、邪魔ものがなく、図３、４のカゴ型トレー２０の薄壁部１５と同様に、隣り合う育苗ポットを人の手先で一度に取り出すのが容易になる。
【００８２】
なお、上記で説明した実施例は、特許請求の範囲に記載された発明の一実施例であり、本発明はこの実施例に限定されるものではない。
【００８３】
例えば、  このカゴ型トレー４０も上述したような底面潅水トレー１０と同様の底面潅水トレーと組み合わせて用いることができる。
【産業上の利用可能性】
【００８４】
本発明の底面潅水トレー、カゴ型トレー、育苗システムは、育苗ポットへの底面潅水を簡易化してその労力を軽減することが要請されるあらゆる産業分野に用いることができる。
【図面の簡単な説明】
【００８５】
【図１】本発明の底面潅水トレーの一例を上方から見た上面図
【図２】（ａ）は図１の底面潅水トレーを長手方向の側方から見た側面図、（ｂ）は図１のＡＡ断面図、（ｃ）は図１のＢＢ断面図
【図３】本発明のカゴ型トレーの一例を上方から見た上面図
【図４】（ａ）は図３のカゴ型トレーを長手方向の側方から見た側面図、（ｂ）はその要部斜視図
【図５】本発明の育苗ポットの一例を上方から見た上面図
【図６】図５の育苗ポットを長手方向の側方から見た側面図
【図７】本発明の育苗システムの一例の要部断面図
【図８】本発明のカゴ型トレーの他例を上方から見た上面図
【図９】（ａ）は図１のカゴ型トレーを長手方向の側方から見た側面図、（ｂ）は（ａ）の要部拡大図
【図１０】（ａ）は図１のカゴ型トレーの要部斜視図、（ｂ）はその三面柱部分の横断面図
【符号の説明】
【００８６】
１          個別収容部
２          水路突起
３          連結部
１０          底面潅水トレー
１１          個別受部
２０          カゴ型トレー
３０          育苗ポット
３４          三面柱
４０          カゴ型トレー
５０          育苗システム
【図１】
2007097402.tif 000003
【図２】
2007097402.tif 000004
【図３】
2007097402.tif 000005
【図４】
2007097402.tif 000006
【図５】
2007097402.tif 000007
【図６】
2007097402.tif 000008
【図７】
2007097402.tif 000009
【図８】
2007097402.tif 000010
【図９】
2007097402.tif 000011
【図１０】
2007097402.tif 000012